(57)【要約】【課題】  パスポートに設けられたＩＣチップに記憶させた情報が、不正に第三者によって読み取られることを防止したパスポートを提供することを目的とする。【解決手段】  表紙と裏表紙とが１枚のシートが２つ折りされて形成され、前記表紙と前記裏表紙との内側に冊子状に複数の頁が挟み込まれ、綴じ合わされてなるパスポートであって、２つ折りされた前記シートの表紙又は裏表紙の内側に、ベースフィルム基材上に配置されたアンテナコイルと、前記アンテナコイルに接続されたＩＣチップとからなるＲＦＩＤタグが設けられた頁を備え、前記シートが、導電性材料により構成されている。【選択図】        図２
2009029060.tif 000002
【特許請求の範囲】
【請求項１】
表紙と裏表紙とが１枚のシートが２つ折りされて形成され、前記表紙と前記裏表紙との内側に冊子状に複数の頁が挟み込まれ、綴じ合わされてなるパスポートであって、
２つ折りされた前記シートの表紙又は裏表紙の内側に、ベースフィルム基材上に配置されたアンテナコイルと、前記アンテナコイルに接続されたＩＣチップとからなるＲＦＩＤタグが設けられた頁を備え、
前記シートが、導電性材料により構成されていることを特徴とするパスポート。
【請求項２】
表紙と裏表紙とが１枚のシートが２つ折りされて形成され、前記表紙と前記裏表紙との内側に冊子状に複数の頁が挟み込まれ、綴じ合わされてなるパスポートであって、
前記複数の頁のいずれかの頁に、ベースフィルム基材上に配置されたアンテナコイルと、前記アンテナコイルに接続されたＩＣチップとからなるＲＦＩＤタグが設けられ、
前記ＲＦＩＤタグの設けられた頁を挟む両側に位置する各頁が、導電性材料により構成されていることを特徴とするパスポート。
【発明の詳細な説明】
【技術分野】
【０００１】
本発明は、ＩＣチップと通信用アンテナとを含む非接触型ＩＣモジュールを有するＲＦＩＤタグが設けられたパスポートに関する。
【背景技術】
【０００２】
従来、偽造防止用の各種の旅券ＩＤ情報を記録したＩＤチップを埋め込んだ偽造防止用ＩＤチップ付きパスポートが公知となっている。（特許文献１、参照）
このように、情報の記録や記憶を行うためにＩＤチップやＩＣチップをパスポートに設けることは、偽造防止や情報の改ざん防止などを行えることから不正使用対策として効果的である。
しかしながら、これらのＩＣチップなどに情報を記憶させた場合には、ＩＣチップなどに記憶させた情報を第三者によって不正に読み取られ悪用される危険性もあり、個人情報保護の対策を図る必要があるという問題がある。
【０００３】
【特許文献１】特開２００３−９９７５２号公報
【発明の開示】
【発明が解決しようとする課題】
【０００４】
本発明は、パスポートに設けられたＩＣチップに記憶させた情報が、不正に第三者によって読み取られることを防止したパスポートを提供することを目的とする。
【課題を解決するための手段】
【０００５】
本発明のパスポートは、表紙と裏表紙とが１枚のシートが２つ折りされて形成され、前記表紙と前記裏表紙との内側に冊子状に複数の頁が挟み込まれ、綴じ合わされてなるパスポートであって、２つ折りされた前記シートの表紙又は裏表紙の内側に、ベースフィルム基材上に配置されたアンテナコイルと、前記アンテナコイルに接続されたＩＣチップとからなるＲＦＩＤタグが設けられた頁を備え、前記シートが、導電性材料により構成されていることを特徴とする。
【０００６】
また、本発明のパスポートは、表紙と裏表紙とが１枚のシートが２つ折りされて形成され、前記表紙と前記裏表紙との内側に冊子状に複数の頁が挟み込まれ、綴じ合わされてなるパスポートであって、前記複数の頁のいずれかの頁に、ベースフィルム基材上に配置されたアンテナコイルと、前記アンテナコイルに接続されたＩＣチップとからなるＲＦＩＤタグが設けられ、前記ＲＦＩＤタグの設けられた頁を挟む両側に位置する各頁が、導電性材料により構成されていることを特徴とする。
【発明の効果】
【０００７】
本発明のパスポートは、表紙と裏表紙とを形成する１枚のシートが導電性材料により構成されているので、冊子状のパスポートを綴じている状態では、ＲＦＩＤタグ用リーダに近づけても、ＲＦＩＤタグに誘導起電力が発生しないため、不正な読み取りや書き込みを防止できるという効果がある。
【０００８】
また、本発明のパスポートは、ＲＦＩＤタグの設けられた頁を挟む両側に位置する各々の頁が、電磁波遮蔽材により構成されているので、冊子状のパスポートを綴じている状態では、ＲＦＩＤタグ用リーダに近づけても、ＲＦＩＤタグに誘導起電力が発生しないため、不正な読み取りや書き込みを防止できるという効果がある。
【発明を実施するための最良の形態】
【０００９】
以下、図面を参照しながら本発明の実施形態を詳述する。
図１〜図３には、本発明の第１実施形態に係るパスポート１ａが示され、図４には、本発明の第２実施形態に係るパスポート１ｂが示されている。
【００１０】
第１実施形態に係るパスポート１ａは、図１に示すように、表紙２にパスポートの表示が印刷され、図２に示すように、表紙２を見開くと、表紙２と裏表紙３との内側に冊子状に複数の頁４が挟み込まれ、綴じ合わされている。
そして、裏表紙３の内側には、ベースフィルム基材５上に配置されたアンテナコイル６と、前記アンテナコイル６に接続されたＩＣチップ７とからなるＲＦＩＤタグ８が設けられた頁が備えられている。
【００１１】
そして、裏表紙３又は表紙２の内側の頁４に設けられているＲＦＩＤタグ８は、パスポートの確認を行う場所に設けられたＲＦＩＤタグ用リーダ（図示せず）から送信される電波をアンテナコイル６で受信すると共に、アンテナコイル６から応答電波を送信することで、ＲＦＩＤタグ用リーダがこれを受信して、ＩＣチップ７のメモリに記憶されている情報の読み取りや、情報の書き込みを行えるように構成されている。
【００１２】
図３には、本発明の第１実施形態に係るパスポート１ａを見開いた状態の側面図が示されている。
パスポート１ａの表紙２と裏表紙３とは、１枚のシートからなり、そのシートの略中央部が２つ折りされて構成されている。
この表紙２と裏表紙３とを構成する１枚のシートは、導電性材料により構成されている。
【００１３】
これにより、図１に示すように、パスポート１ａの表紙２と裏表紙３とを綴じた状態とした場合に、ＲＦＩＤタグ用リーダからの磁界により、導電性材料周辺に渦電流が発生して、この渦電流により生じる反磁界が通信に必要な磁界をキャンセルするために、頁４に設けられているＲＦＩＤタグ８のアンテナコイル６がその電波を受信することができず、ＩＣチップ７のメモリに記憶されている情報の不正読み取りや、情報の不正書き込みが行えないように構成されている。
ここで、表紙２と裏表紙３とを構成するシートに用いられる導電性材料とは、導電性のある金属蒸着紙を用いる。
また、導電性のある金属蒸着紙として、アルミ蒸着紙、銅蒸着紙などがある。
【００１４】
ＲＦＩＤタグ８は、例えば、非接触データキャリアやＲＦＩＤともいわれ、アンテナコイル６と容量素子とにより共振回路を形成して、一定周波数の電波を受信し送信することができるように構成されている。
また、他の方式として、リーダライタからの搬送波の電磁誘導により電力伝送及びデータ伝送を行うようにしてもよい。
一般的には、１３５ｋＨｚ（中波）、１３．５６ＭＨｚ、２．４５ＧＨｚ（マイクロ波）の周波数帯が使用される。
【００１５】
アンテナコイル６は、導通部材により基材の裏面でジャンピング回路を形成してコイル接続端子によりＩＣチップの裏面のバンプに接続している。
ＩＣチップ７には、ＣＰＵと、メモリが備えられている。
【００１６】
図示した例では、容量素子はＩＣチップ７に内蔵されている。
このようなＲＦＩＤタグ８は、樹脂基材にラミネートしたアルミ箔等の金属箔をフォトエッチングやレジスト印刷後のエッチングによりアンテナコイル６のコイルパターンを形成し、ＩＣチップ７を装着し、保護用の被覆を設けることにより形成することができる。
その大きさも３０ｍｍ×３０ｍｍ程度以下のサイズとすることができる。
【００１７】
ＲＦＩＤタグ８に使用する樹脂基材としては、ＰＥＴやポリプロピレン、ポリエチレン、ポリスチレン、ナイロン等の各種材料を使用することができ、紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００１８】
次に、図４には、本発明の第２実施形態に係るパスポート１ｂが示されている。
第２実施形態に係るパスポート１ｂは、図４に示すように、表紙２を見開くと、表紙２と裏表紙３との内側に冊子状に複数の頁４，４ａ，４ｂ，４ｃが挟み込まれ、綴じ合わされている。
【００１９】
そして、重ね合わされた複数の頁４，４ａ，４ｂ，４ｃの内側に位置する頁４ａには、図２に示すＲＦＩＤタグと同様の構成を有する、ベースフィルム基材５上に配置されたアンテナコイル６と、前記アンテナコイル６に接続されたＩＣチップ７とからなるＲＦＩＤタグ８が設けられている。
尚、ＲＦＩＤタグ８が設けられる頁４ａは、重ね合わされた複数の頁の内側に位置する頁のいずれかであればよく、頁４ａの位置に限定されるものではない。
【００２０】
そして、ＲＦＩＤタグ８の設けられた頁４ａを挟む両側に位置する各頁４ｂ，４ｃは、導電性材料により構成されている。
これにより、図４に示すパスポート１ｂの表紙２と裏表紙３とを綴じた状態とした場合に、ＲＦＩＤタグ用リーダからの磁界により、導電性材料周辺に渦電流が発生して、この渦電流により生じる反磁界が通信に必要な磁界をキャンセルするために、頁４ａに設けられているＲＦＩＤタグ８のアンテナコイル６がその電波を受信することができず、ＩＣチップ７のメモリに記憶されている情報の不正読み取りや、情報の不正書き込みが行えないように構成されている。
【００２１】
以上のように、本発明のパスポートは、パスポートに設けられたＲＦＩＤタグが、導電性材料により構成された頁で、挟み込まれる状態となるように作成されているので、冊子状のパスポートを綴じている状態では、ＲＦＩＤタグ用リーダに近づけても、ＲＦＩＤタグに誘導起電力が発生しないため、不正な読み取りや書き込みを防止できるという効果がある。
【図面の簡単な説明】
【００２２】
【図１】本発明の第１実施形態に係るパスポートの平面図である。
【図２】本発明の第１実施形態に係るパスポートの裏表紙を見開いた状態を示す斜視図である。
【図３】本発明の第１実施形態に係るパスポートを見開いた状態を示す側面図である。
【図４】本発明の第２実施形態に係るパスポートを見開いた状態を示す側面図である。
【符号の説明】
【００２３】
１ａ，１ｂ  パスポート
２  表紙
３  裏表紙
４，４ａ，４ｂ，４ｃ  頁
５  ベースフィルム基材
６  アンテナコイル
７  ＩＣチップ
８  ＲＦＩＤタグ
【図１】
2009029060.tif 000003
【図２】
2009029060.tif 000004
【図３】
2009029060.tif 000005
【図４】
2009029060.tif 000006